(57)【要約】      （修正有）【課題】安定してゆっくりと意図する場所に向かって沈んでいき、透明感も具備したスプーン型ルアーを提供する。【解決手段】全体が平板状をなす樹脂製のルアー本体と、ラインを固定するためにルアー本体の長手方向における一方の端部に設けたラインアイ２８と、釣り針３０を固定するためにラインアイと反対側の端部に設けたフックアイ２９と、水中へ没したときに水面側となる背部２２と、その背部とは反対側へ凸となるように備えられる腹部２４と、その腹部および背部の間には水平方向へ広がる羽根部２５と、を備える。ルアー本体の少なくとも一部は、透光性のある樹脂にて形成する。腹部側が背部側よりも比重が大きくなるように腹部の内部へ高比重の錘部を備える。【選択図】図３
0003191129.tif 000002
【実用新案登録請求の範囲】
【請求項１】
全体が平板状である樹脂製のルアー本体と、
ラインを固定するためにルアー本体の長手方向における一方の端部に設けたラインアイと、
釣り針を固定するために前記のラインアイと反対側の端部に設けたフックアイと、
水中へ没したときに水面側となる背部と、
その背部とは反対側へ凸となるように備えられる腹部と、
その腹部および前記の背部の間に水平方向へ広がる羽根部と、
前記の腹部側が前記の背部側よりも比重が大きくなるように腹部の内部へ高比重の錘部と、を備えたスプーン型ルアー。
【請求項２】
前記の錘部は、ラインアイおよびフックアイへ一体化させて形成した請求項１に記載のスプーン型ルアー。
【請求項３】
前記のルアー本体の少なくとも一部は、透光性のある樹脂にて形成した請求項１または請求項２のいずれかに記載のスプーン型ルアー。
【請求項４】
前記の背部には、前記のフックアイが位置する部位よりも長く延設した返し部を備えた請求項１から請求項３のいずれかに記載のスプーン型ルアー。
【考案の詳細な説明】
【技術分野】
【０００１】
本考案は、ルアー釣りにおいて、釣り針とともに使われるスプーン型ルアーに関する。
【背景技術】
【０００２】
現在の釣りでは、活き餌の代わりに疑似餌（ルアー）を用いることが増えている。ルアーには、真鍮やステンレスなどの金属板を打ち抜いて成形した「スプーン」と呼ばれる種類がある。その形状については、様々な工夫があり、たとえば特許文献１に開示されたスプーンは、波状の端部を備えている。
【０００３】
スプーン型ルアーは、ラインを取り付けるためのラインアイをその一端に備え、多端に釣り針を取り付けるためのフックアイを備えている。このスプーン型ルアーは、キャスト後にリトリープすると、水中でひらひらと誘導しながら沈んでいくという特徴がある。
【０００４】
特許文献２には、金属製の基体部分に対して、その基体部分とは比重が異なる貼着部と名付けられた部位を備える、という技術が開示されている。この貼着部の存在によって、沈んでいく際の動きを複雑とすることができる、といった特徴がある。
【先行技術文献】
【特許文献】
【０００５】
【特許文献１】特開平１０−２３４２６１号公報
【特許文献２】特開平１１−２９９３９５号公報
【考案の開示】
【考案が解決しようとする課題】
【０００６】
さて、金属製スプーンがゆっくり沈むようにしたい、というニーズが存在している。釣り人が意図するとおりに水深が深い場所にまでルアーを到達させたいが、その到達に際してヒラヒラと沈ませて集魚効果を高めたい、ということである。
しかし、スプーンを形成する基体部分を、比重の小さな材質で形成しても、解決しない。すなわち、図６に示すように、水中での下方からの水流を受けた場合に左右に振れて安定せず、場合によってひっくり返ってしまうのである。
また、現状のスプーン型ルアーには、図５に示すように、付属する釣り針５０が「最大振れ幅の範囲」で振れてしまう。この振れが前述した不安定さにも繋がる。
【０００７】
併せて、ヒラヒラと沈ませるスプーン型ルアーに透明感を持たせたい、という潜在ニーズも予想される。本来的に、餌となる魚には部分的（たとえばひれ部分）には透明感があるので、そうした透明感を備えたルアーが望まれていると考えられるのである。
【０００８】
本考案が解決すべき課題は、安定してゆっくりと意図する場所に向かって沈んでいき、透明感も具備したルアーを提供することにある。
【課題を解決するための手段】
【０００９】
（第一の考案）
全体が平板状であって、且つ長手方向に垂直で且つ長手方向に沿った中央部の断面形状が流線形をなす樹脂製のルアー本体(21)と、  ライン(10)を固定するためにルアー本体(21)の長手方向における一方の端部に設けたラインアイ(28)と、  釣り針(30)を固定するために前記のラインアイ(28)と反対側の端部に設けたフックアイ(29)と、  水中(2)へ没したときに水面(1)側となる背部(22)と、  その背部(22)とは反対側へ凸となるように備えられる腹部(24)と、  その腹部(24)および前記の背部(22)の間に水平方向へ広がる羽根部(25,25)と、  前記の腹部(24)側が前記の背部(22)側よりも比重が大きくなるように腹部(24)の内部へ高比重の錘部と、を備える。
【００１０】
（用語説明）
「錘部」とは、たとえば、金属または金属粉末を含有させた樹脂によってルアー本体(21)における他の部位を形成する樹脂よりも高比重とした部位である。
【００１１】
（作用）
腹部(24)側に高比重の錘部を備え、且つ羽根部(25)を備えているので、このルアー(20)を水中へ没した場合には、腹部(24)を水底側にしてゆっくりと沈んでいく。
また、水底側に向かって突出する腹部(24)と、その両側に位置する羽根部(25)が存在するため、羽根部(25)を上下に動かそうとする動きに対する水の抵抗が大きくなる形状となり、安定して沈んでいく。
【００１２】
（第一の考案のバリエーション１）
第一の考案は、前記の錘部を、ラインアイ(28)およびフックアイ(29)へ一体化させて形成すると、より好ましい。
錘部と、金属で形成するラインアイ(28)およびフックアイ(29)とは親和性が高い（錘部を金属製とした場合には特に）ので、樹脂製である他の部位を型で成型すれば、製造が容易となる。
【００１３】
（第一の考案のバリエーション２）
第一の考案は、ルアー本体(21)の少なくとも一部が透光性のある樹脂にて形成されていると、より好ましい。
水中において透明感を具備することとなり、対象魚に対する集魚効果を高めることに寄与する。
【００１４】
（第一の考案のバリエーション３）
第一の考案は、前記の背部(22)を前記のフックアイ(29)が位置する部位よりも長く延設した返し部(23)を備えると、より好ましい。
返し部(23)が備えられることによって、フックアイ(29)に固定された釣り針(30)の動きが規制される（図３（ｃ）参照、図６と比較）。そのため、安定して沈んでいくことに寄与する。
【考案の効果】
【００１５】
本考案によれば、安定してゆっくりと意図する場所に向かって沈んでいき、透明感も具備したルアーを提供することができた。
【図面の簡単な説明】
【００１６】
【図１】本考案の第一の実施形態に係るルアーが水中へ没していく様子を示す図である。
【図２】本考案の第一の実施形態に係るルアーが長手方向に対する安定性を備えている様子を示す図である。
【図３】本考案の第一の実施形態に係るルアーの縦断面図（ａ）、横断面図（ｂ）、および側面図（ｃ）である。
【図４】本考案の第一の実施形態に係るルアーが横方向に対する安定性を備えている様子を示す図である。
【図５】従来のルアー（金属製スプーン型）を示す側面図である。
【図６】従来のルアー（金属製スプーン型）を示す正面図である。
【考案を実施するための形態】
【００１７】
以下、本考案の実施形態について図面を参照して説明する。ここで使用するのは、図１から図４である。
【００１８】
まず、図３に基づいて、本実施形態に係るルアー２０の全体形状を示す。
このルアー２０は、いわゆるハードルアーと呼ばれる、全体を合成樹脂にて形成した硬質なルアーである。この合成樹脂は、透光性を具備しているため、薄い部位には透明感がある。
【００１９】
図３（ａ）に示すように、このルアー２０は、全体が平板状であって、長手方向に沿った中央の断面形状が略紡錘形をなす。そして、ライン１０を固定するためにルアー本体２１の長手方向における一方の端部に設けたラインアイ２８と、釣り針３０を固定するために前記のラインアイ２８と反対側の端部に設けたフックアイ２９と、を備える。
また、図３（ｂ）に示すように、水中２へ没したときに水面１側に位置することとなる背部２２と、その背部２３とは反対側へ凸となるように備えられる腹部２４と、その腹部２４および前記の背部２３の間に水平方向へ広がる羽根部２５，２５と、を備える。
【００２０】
腹部２４の内部には、背部側よりも比重が大きくなるように高比重の錘部を備えている（断面図は省略）。具体的には、金属の線材にて形成するラインアイ２８およびフックアイ２９の間に、金属製の錘部を位置させている。
【００２１】
図３（ｃ）に示すように、前記の背部１１を前記のフックアイ２９が位置する部位よりも長く延設することで、返し部２３を備えている。この返し部２３の存在によって、フックアイ２９に固定された釣り針３０は、この返し部２３よりも上に向かった回転はできない。すなわち、釣り針３０の動きが規制されることとなり、ルアー２０が安定して沈んでいくことに寄与する。
【００２２】
羽根部２５，２５は、腹部２４との間で滑らかな曲面を描くように、背部２２方向へ若干えぐれている。羽根部２５，２５における腹部２４側の面を羽根下面２６，２６とすると、その羽根下面２６，２６は、上に凸となるように形成されている。
この形状によって、図４に示すように、本実施形態のルアー２０が図の左右方向へ揺動しにくく、安定して沈んでいくことに寄与する。
図４（ａ）において、説明の便宜上、左側の羽根下面２６を左下面２６Ａ、右側の羽根下面２６を右下面２６Ｂとする。
【００２３】
図４（ｂ）に示すように、ルアー２０が水中を落下していく際に、左下面２６Ａの下方から水面側へ向かう水流を受けたとする。その場合、左下面２６Ａは、一時的に右下面２６Ｂよりも上へ持ち上げられる。しかし、左下面２６Ａが上に凸となるように形成されているために、左下面２６Ａを通過しようとする水流は動きが遅くなる。その結果、左下面２６Ａと右下面２６Ｂとは、水平に戻っていく。すなわち、ルアー２０が図の左右方向へ揺動しにくく、安定して沈んでいくこととなる。
図４（ｃ）に示すのは、上述した場合と左右反対の動きが発生するのみであり、詳細な説明を省略する。
【００２４】
続いて、図１および図２を用いて、ルアー２０における長手方向の振れについて説明する。
図１に示すように、水面１から水中２へ沈められたルアー２０は、釣り針３０の重さもあって、揺れながら沈んでいくことが多い。
しかし、図２（ａ）、（ｂ）に示すように、バランス中心Ｇがルアー２０の長手方向の中央付近に存在し、且つ、前述した腹部２４および羽根部２５の存在によって、長手方向の揺動は抑えられやすい。その結果、ルアー２０は、長手方向の揺動を小さく抑えて安定して沈んでいくこととなる。
【産業上の利用可能性】
【００２５】
本考案は、釣り具の製造業、販売業またはレンタル業、アウトドアスポーツのインストラクター事業などにおいて、利用可能性を有する。
【符号の説明】
【００２６】
１；  水面                  ２；  水中
１０；  ライン
２０；  ルアー              ２１；  ルアー本体
２２；  背部                ２３；  返し部
２４；  腹部                ２５；  羽根部
２６；  羽根下面            ２６Ａ；左下面
２６Ｂ；右下面
２８；  ラインアイ          ２９；  フックアイ
３０；  釣り針
４０；  金属ルアー（スプーン型）
５０；  釣り針
【図１】
0003191129.tif 000003
【図２】
0003191129.tif 000004
【図３】
0003191129.tif 000005
【図４】
0003191129.tif 000006
【図５】
0003191129.tif 000007
【図６】
0003191129.tif 000008